(57)【要約】【課題】ハンドグリップのように何時でも何処でも気軽に実行できると共に、ハンドグリップよりも複雑な運動ができ、心身の健康増進に対して様々な効用が期待できる健康増進器具を提供する。【解決手段】第１の握り部材12と、第２の握り部材14と、回転軸25と、回転軸25の一端側を回転可能に支持すると共に、その回転に対して所定の負荷を付与するトルク発生機構26とを備え、回転軸25の他端側は、第１の握り部材12に対し空転が防止された状態で係合されており、トルク発生機構26は第２の握り部材14に固定されている第１の健康増進器具10。【選択図】        図３
2007068606.tif 000002
【特許請求の範囲】
【請求項１】
第１の握り部材と、
第２の握り部材と、
回転軸と、
この回転軸の一端側を回転可能に支持すると共に、その回転に対して所定の負荷を付与するトルク発生機構とを備え、
上記回転軸の他端側は上記第１の握り部材に固定され、
上記トルク発生機構は、上記第２の握り部材に固定されていることを特徴とする健康増進器具。
【請求項２】
第１の握り部材と、
第２の握り部材と、
回転軸と、
この回転軸の一端側を回転可能に支持すると共に、その回転に対して所定の負荷を付与するトルク発生機構とを備え、
上記回転軸の他端側は、上記第１の握り部材に対し空転が防止された状態で係合され、
上記トルク発生機構は、上記第２の握り部材に固定されていることを特徴とする健康増進器具。
【請求項３】
第１の握り部材と、
第２の握り部材と、
回転軸と、
この回転軸の一端側を回転可能に支持すると共に、その回転に対して所定の負荷を付与するトルク発生機構と、
上記第１の握り部材及び第２の握り部材間に伸縮自在に介装された弾性部材と、
上記第１の握り部材側に設けられた回転軸挿通孔とを備え、
上記トルク発生機構は上記第２の握り部材に固定されており、
上記回転軸の他端側は上記回転軸挿通孔に摺動自在に挿通されており、
上記挿通孔内において回転軸が空転することを防止するための空転規制構造が、挿通孔及び回転軸に設けられていることを特徴とする健康増進器具。
【請求項４】
上記の空転規制構造が、回転軸及び挿通孔の何れかに形成されたキーと、回転軸及び挿通孔の何れかに形成されたキー溝との組合せよりなることを特徴とする請求項３に記載の健康増進器具。
【請求項５】
上記の空転規制構造が、断面Ｄ字形に形成された回転軸と、断面Ｄ字形に形成された挿通孔とによって実現されることを特徴とする請求項３に記載の健康増進器具。
【請求項６】
上記トルク発生機構が、上記回転軸の一端側を回転自在に支持する軸受部と、この回転軸の広径部と上記軸受部との間に圧接介装された１または複数の摩擦板と、上記軸受部と上記回転軸の先端係止部との間に圧接介装された１または複数の摩擦板とを備えたトルクヒンジよりなることを特徴とする請求項１〜５の何れかに記載の健康増進器具。
【請求項７】
上記トルク発生機構が、上記回転軸の一端側を回転自在に支持する軸受部と、この回転軸に形成されたロータに対し制動力を付与する媒質を備えたロータリーダンパよりなることを特徴とする請求項１〜５の何れかに記載の健康増進器具。
【請求項８】
上記第１の握り部材及び第２の握り部材の少なくとも一方の内部には芳香物質が収納されており、その芳香を外部に放散させるための通気口が形成されていることを特徴とする請求項１〜７の何れかに記載の健康増進器具。
【請求項９】
上記第１の握り部材及び第２の握り部材の少なくとも一方の外面に、滑り防止用の凹凸が形成されていることを特徴とする請求項１〜８の何れかに記載の健康増進器具。
【発明の詳細な説明】
【技術分野】
【０００１】
この発明は健康増進器具に係り、特に、トルク発生機構によって適度な回転負荷が加えられた一対の握り部材を、両手あるいは片方の掌及び指先で把持し、両部材をそれぞれ反対方向に往復回動させることを通じて、運動不足の解消、体力の維持・増強、疾病の予防、ストレス解消、ボケ防止等の効能を発揮する健康増進器具に関する。
【背景技術】
【０００２】
多くの現代社会人は、慢性的な運動不足に陥っており、各種のストレスと向き合っている。このため、専用施設であるスポーツジムやフィットネスクラブに通い、健康維持や体力増強、ストレス解消に努めている人も多いが、比較的高額の会費が必要であり、また遠くの施設まで足を運ばなくてはならないため、万人向きではなかった。
バーベル・ストレッチャーなどのトレーニングベンチ、自転車ペダル式の運動装置（特許文献１参照）、ベルト走行式トレーニング装置などは家庭でも使用することができるが、設置面積を要するため日本の住宅事情にマッチしないという問題があった。また、これらの装置を用いた運動は比較的大きな負荷がかかるため、高齢者には向かないという問題もあった。
これに対し、ハンドグリップ（特許文献２参照）を用いた運動であれば、場所もとらず何時でも気軽に実行でき、体力に応じて負荷の異なる器具を選択できる利点がある反面、その効用が握力の向上に限定されるという問題があった。
【特許文献１】実用新案登録第３０８９７４０号
【特許文献２】実用新案登録第３０３７１２８号
【発明の開示】
【発明が解決しようとする課題】
【０００３】
この発明は、日常的な運動の実施に係る従来の上記問題を解消するために案出されたものであり、ハンドグリップのように何時でも何処でも気軽に実行できると共に、ハンドグリップよりも複雑な運動ができ、心身の健康増進に対して様々な効用が期待できる健康増進器具を提供することを目的としている。
【課題を解決するための手段】
【０００４】
上記の目的を達成するため、請求項１に記載の健康増進器具は、第１の握り部材と、第２の握り部材と、回転軸と、この回転軸の一端側を回転可能に支持すると共に、その回転（正転及び逆転）に対して所定の負荷を付与するトルク発生機構とを備え、上記回転軸の他端側は上記第１の握り部材に固定され、上記トルク発生機構は上記第２の握り部材に固定されていることを特徴としている。
【０００５】
請求項２に記載の健康増進器具は、第１の握り部材と、第２の握り部材と、回転軸と、この回転軸の一端側を回転可能に支持すると共に、その回転（正転及び逆転）に対して所定の負荷を付与するトルク発生機構とを備え、上記回転軸の他端側は、上記第１の握り部材に対し空転が防止された状態で係合され、上記トルク発生機構は上記第２の握り部材に固定されていることを特徴としている。
上記の「上記回転軸の他端側は、上記第１の握り部材に対し空転が防止された状態で係合され」とは、例えば回転軸の断面形状をＤ字形に形成すると共に、第１の握り部材側にＤ字形の凹部または貫通孔を設けておき、この凹部または貫通孔に回転軸を挿通させることが該当する。また、回転軸にキーまたはキー溝を形成すると共に、第１の握り部材側にキー溝またはキーを備えた凹部や貫通孔を設けておき、この凹部や貫通孔に回転軸を挿通させることでも実現できる。あるいは、回転軸の先端面に断面矩形状の凹部を形成すると共に、第１の握り部材側に断面矩形状の凸部を形成しておき、両者を嵌め入れるように構成してもよい。
【０００６】
請求項３に記載の健康増進器具は、第１の握り部材と、第２の握り部材と、回転軸と、この回転軸の一端側を回転可能に支持すると共に、その回転（正転及び逆転）に対して所定の負荷を付与するトルク発生機構と、上記第１の握り部材及び第２の握り部材間に伸縮自在に介装された弾性部材と、上記第１の握り部材側に設けられた回転軸挿通孔とを備え、上記トルク発生機構は上記第２の握り部材に固定されており、上記回転軸の他端側は上記回転軸挿通孔に摺動自在に挿通されており、上記挿通孔内において回転軸が空転することを防止するための空転規制構造が、挿通孔及び回転軸に設けられていることを特徴としている。
【０００７】
請求項４に記載の健康増進器具は、請求項３に記載の健康増進器具であって、上記の空転規制構造が、回転軸及び挿通孔の何れかに形成されたキーと、回転軸及び挿通孔の何れかに形成されたキー溝との組合せよりなることを特徴としている。
【０００８】
請求項５に記載の健康増進器具は、請求項３に記載の健康増進器具であって、上記の空転規制構造が、断面Ｄ字形に形成された回転軸と、断面Ｄ字形に形成された挿通孔とによって実現されることを特徴としている。
【０００９】
請求項６に記載の健康増進器具は、請求項１〜５の健康増進器具であって、上記トルク発生機構が、上記回転軸の一端側を回転自在に支持する軸受部と、この回転軸の広径部と上記軸受部との間に圧接介装された１または複数の摩擦板と、上記軸受部と上記回転軸の先端係止部との間に圧接介装された１または複数の摩擦板とを備えたトルクヒンジよりなることを特徴としている。
【００１０】
請求項７に記載の健康増進器具は、請求項１〜５の健康増進器具であって、上記トルク発生機構が、上記回転軸の一端側を回転自在に支持する軸受部と、この回転軸に形成されたロータに対し制動力を付与する媒質を備えたロータリーダンパよりなることを特徴としている。
【００１１】
請求項８に記載の健康増進器具は、請求項１〜７の健康増進器具であって、上記第１の握り部材及び第２の握り部材の少なくとも一方の内部には芳香物質が収納されており、その芳香を外部に放散させるための通気口が形成されていることを特徴としている。
【００１２】
請求項９に記載の健康増進器具は、請求項１〜８の健康増進器具であって、上記第１の握り部材及び第２の握り部材の少なくとも一方の外面に、滑り防止用の凹凸が形成されていることを特徴としている。
【発明の効果】
【００１３】
請求項１及び２に記載した健康増進器具は、上記の構成を備えているため、第１の握り部材及び第２の握り部材を両手または片手で握り、各部材に対し異なる方向に回転力を加えると、トルク発生機構の制動力が効いて適度な負荷が発生する。
そして、この負荷に抗してさらに力を加えると、回転軸を中心に第１の握り部材及び第２の握り部材が異なる方向に回転することとなる。
また、適当な角度まで回転させた後、力を加える方向を逆転させると再び適度な負荷が発生し、この負荷に抗してさらに力を加えると、回転軸を中心に第１の握り部材及び第２の握り部材が反対方向に回転する。
以上の往復回転動作を繰り返すことにより、掌、指先、手首、腕の筋肉が普段とは異なった使われ方をし、高い運動効果、ストレス解消効果及びボケ防止効果が得られる。
【００１４】
請求項３に記載した健康増進器具は、上記の構成を備えているため、第１の握り部材及び第２の握り部材を両手または片手で握り、弾性部材の反発力に抗して押圧すると、弾性部材が収縮して回転軸が挿通孔内に進入する結果、第２の握り部材が第１の握り部材側に移動し、両者間の距離が短くなる。
つぎに押圧力を緩めると、弾性部材の復元力によって第１の握り部材及び第２の握り部材が元の位置に復帰する。
さらに、第１の握り部材及び第２の握り部材を内側に向けて押圧しながら、任意の位置で回転を加えることもできる
すなわち、この健康増進器具によれば、トルク発生機構の負荷に抗した回転運動と、弾性部材の復元力に抗した押圧運動を同時に実施することが可能となり、より高い運動効果、ストレス解消効果及びボケ防止効果を実現できる利点がある。
【００１５】
請求項４及び５に記載した健康増進器具は、上記の構成を備えているため、第１の握り部材と第２の握り部材を押圧する際には回転軸が第１の握り部材側の挿通孔内に進入でき、両部材間の距離を短くすることができる。これに対し、両部材を回転させる際には回転軸が挿通孔に係合され、その空転が防止されるため、トルク発生機構による制動力が働き、回転に対して適度な負荷を付与することが可能となる。
【００１６】
請求項６及び７に記載した健康増進器具は、トルク発生機構が上記の構成を備えているため、回転軸の正転及び逆転に対しほぼ等しい負荷を安定して付与することが可能となる。
【００１７】
請求項８に記載した健康増進器具の場合、通気口を介してアロマオイル等の芳香物質による芳香が外部に放散されるため、上記の運動効果に加えてアロマテラピー効果が期待できる。
【００１８】
請求項９に記載した健康増進器具は、滑り防止用の凹凸が表面に形成されているため、特に片手で操作する際に便利である。
【発明を実施するための最良の形態】
【００１９】
図１は、この発明に係る第１の健康増進器具10の外観を示す平面図であり、この第１の健康増進器具10は、第１の握り部材12と第２の握り部材14を備えている。
第１の握り部材12は、円筒部15と広径部16を備えている。また、第２の握り部材14も、円筒部17と広径部18を備えている。
第１の握り部材12及び第２の握り部材14は、プラスチックや金属、シリコンゴム等の弾性材、木材等よりなり、人間の掌に丁度収まる程度の大きさを備えている。
【００２０】
図２は、第１の健康増進器具10の内部構造を示す断面図であり、図３はその分解図である。
まず、第１の握り部材12の内部には、一対の収納凹部19が形成されており、芳香ユニット20がそれぞれ装填されている。
芳香ユニット20は、プラスチック製の開口容器21内にスポンジ22を充填させた構造を備えており、このスポンジ22には所望のアロマオイルが染み込ませてある。
この芳香ユニット20の開口部23は、それぞれ収納凹部19の底面から外部に通じる通気孔24に面するように位置決めされているため、気化したアロマオイルがこの通気孔24を介して外部に放散される。
【００２１】
また、第２の握り部材14の内部には、回転軸25と、トルク発生機構26が配置されている。
回転軸25の一端側は、固定板27に形成された中央貫通孔28に挿通されており、固定板27の裏面において抜け防止手段としてのピン29が回転軸25の先端貫通孔に嵌装されている。
また、回転軸25の他端側は、トルク発生機構26内において回転自在に支持されている。
【００２２】
図４は、トルク発生機構26の内部構造を示す部分断面図であり、直方体状のケース内において、回転軸25の先端部は、軸受プレート30に形成された貫通孔に挿通されており、回転軸25の外周面に沿って形成された広径つば部31と軸受プレート30の下面との間には、リン青銅よりなる摩擦ワッシャー32が挟み込まれている。
また、軸受プレート30の上面には、リン青銅よりなる摩擦ワッシャー33、SUSよりなる摩擦ワッシャー34、スプリングワッシャー35、押え用ワッシャー36が積層されている。
そして、回転軸25の先端をかしめることにより、回転軸25の先端係止部37と軸受プレート30との間に介装された摩擦ワッシャー33及び広径つば部31と軸受プレート30との間に介装された摩擦ワッシャー32が軸受プレート30に圧着される。
以上の結果、回転軸25はトルク発生機構26の軸受プレート30によって回転自在に支持されつつも、摩擦ワッシャー32，33の軸受プレート30に対する圧着により、その回転に適度な負荷がかかるように仕組まれている。
【００２３】
上記固定板27に形成された貫通孔38にビス39を通し、第１の握り部材12の対向面に形成されたネジ穴40にネジ止めすることにより、トルク発生機構26及び回転軸25は、まず第１の握り部材12の対向面に係合される。
この際、回転軸25の先端部及びピン29は、第１の握り部材12の対向面に形成された凹部41内に収納される。
【００２４】
つぎに、第１の握り部材12の対向面に第２の握り部材14をかぶせ、第２の握り部材14の対向面に形成された断面矩形状の凹部42にトルク発生機構26を嵌め入れた後、第２の握り部材14の頭頂部から凹部42にかけて形成された貫通孔43に長尺ビス44を通し、トルク発生機構26の上面に形成されたネジ穴45にネジ止めする。
この結果、トルク発生機構26が第２の握り部材14の対向面に固定される。
同時に、トルク発生機構26、回転軸25、固定板27、ビス39、ピン29を介して第１の握り部材12と第２の握り部材14間が連結される。
この際、第１の握り部材14の円筒部15の端面と、第２の握り部材14の円筒部17の端面とが、摺動自在に接触する。
図５に示すように、上記固定板27の中央貫通孔28はＤ字形（半円形）に形成されており、上記回転軸25の少なくとも中央貫通孔28に挿入される部分も断面Ｄ字形（半円形）に形成されている。
【００２５】
第１の健康増進器具10は以上の構成を備えているため、第１の握り部材12及び第２の握り部材14を両手で握り、各部材に対し異なる方向に回転力を加えると、トルク発生機構26の制動力が効いて適度な負荷が発生する。
そして、この負荷に抗してさらに力を加えると、回転軸25を中心に第１の握り部材12及び第２の握り部材14が異なる方向に回転する。
適当な角度まで回転させた後、力を加える方向を逆転させると再び適度な負荷が発生し、この負荷に抗してさらに力を加えると、回転軸25を中心に第１の握り部材12及び第２の握り部材14が反対方向に回転する。
【００２６】
以上の往復回転動作を繰り返すことにより、掌、指先、手首、腕の筋肉が普段とは異なった使われ方をし、高い運動効果及びストレス解消効果を奏することが可能となる。
この際、第１の握り部材12の通気孔24から気化したアロマオイルの芳香が外部に放散されるため、アロマテラピー効果を享受することが可能となる。
また、第１の握り部材12と第２の握り部材14を単に手先で回転させるだけでなく、その回転に合わせて両腕の屈伸及び捻り運動を加えることにより、さらに多くの筋肉を複雑に働かすことが可能となる。
【００２７】
この第１の健康増進器具10の場合、長尺ビス44を外すことによって第１の握り部材12と第２の握り部材14を簡単に分解でき、ビス39を外すことによってトルク発生機構26を固定板27ごと第１の握り部材12から取り外すことができる。
このため、自己の体力向上具合に応じて、また他の利用者の体力に応じて、制動力の異なるトルク発生機構26に取り替えることが可能となる。
【００２８】
なお、この実施形態においては、上記のように固定板27の中央貫通孔28をＤ字形状に形成すると共に、回転軸25の断面形状をＤ字形状に形成することにより、回転軸25の空転を防止する構造を実現していたが、他の空転防止構造を適用することもできる。
例えば、図６に示すように、固定板27の中央貫通孔28内にキー46を突設すると共に、回転軸25にキー溝47を形成することにより、回転軸25の空転を防止することができる。
また、回転軸25の先端部を固定板27に固定することによっても、回転軸25の空転を防止することができる。
【００２９】
図７及び図８は、第２の健康増進器具50の内部構造を示す断面図である。
この第２の健康増進器具50は、第１の握り部材12と第２の握り部材14間の回転動作に加えて、両部材間の伸縮動作を可能とする点に特徴を備えている。
まず、第１の握り部材12の内部には、一対の収納凹部19が形成されており、上記と同様の芳香ユニット20がそれぞれ装填されている。
この第１の握り部材12には、芳香ユニット20の開口部23と対向する位置に通気孔24が形成されている。
【００３０】
また、第２の健康増進器具50の内部には、比較的長尺の回転軸25と、トルク発生機構26が配置されている。
回転軸25の一端側は、固定板27に形成された中央貫通孔28に摺動自在に挿通されており、固定板27の裏面において、抜け防止用のピン29が回転軸25の先端貫通孔に嵌装されている。
回転軸25の他端側は、トルク発生機構26内において回転自在に支持されている。
トルク発生機構26の内部構造は上記と同様であるため詳細な説明は省略するが、回転軸25の先端係止部37と軸受プレート30との間に介装された摩擦ワッシャー33及び広径つば部31と軸受プレート30との間に介装された摩擦ワッシャー32が軸受プレート30に圧着される結果、その回転に対して適度な制動力が加わる構造となされている。
また、回転軸25におけるトルク発生機構26と固定板27との間に位置する部分には、弾性部材として複数の皿バネ51が挿通されている。
【００３１】
上記固定板27に形成された貫通孔38にビス39を通し、第１の握り部材12の対向面に形成されたネジ穴にネジ止めすることにより、トルク発生機構26及び回転軸25は、第１の握り部材12の対向面に係合される。
この際、回転軸25の先端部及びピン29は、第１の握り部材12の対向面に形成された比較的深い凹部52内に収納される。
この場合も、図５に示したように、上記固定板27の中央貫通孔28は断面Ｄ字形（半円形）に形成されており、上記回転軸25の少なくとも中央貫通孔28に挿入される部分は断面Ｄ字形（半円形）に形成されている。
【００３２】
つぎに、第１の握り部材12の対向面に第２の握り部材14をかぶせ、第２の握り部材14の対向面に形成された凹部42にトルク発生機構26を嵌め入れた後、第２の握り部材14の頭頂部から凹部42にかけて形成された貫通孔43に長尺ビス44を通し、トルク発生機構26の上面に形成されたネジ穴にネジ止めする。
この結果、トルク発生機構26が第２の握り部材14の対向面に固定される。
同時に、トルク発生機構26、回転軸25、固定板27、ビス39、ピン29を介して第１の握り部材12と第２の握り部材14間が連結される。
この際、第１の握り部材14の円筒部15内に第２の握り部材14の円筒部17が摺動自在に嵌め込まれている。
【００３３】
第２の健康増進器具50は以上の構成を備えているため、第１の握り部材12及び第２の握り部材14を両手で握り、皿バネ51の反発力に抗して押圧すると、皿バネ51が収縮して回転軸25が凹部52内に深く進入する結果、第２の握り部材14が第１の握り部材12側に移動し、両者間の距離が短くなる（図８）。
つぎに両手の押圧力を緩めると、皿バネ51の反発力によって第１の握り部材12及び第２の握り部材14が元の位置に復帰する（図７）。
さらに、利用者は第１の握り部材12及び第２の握り部材14を内側に向けて押圧しながら、任意の位置で回転を加えることができる
すなわち、この第２の健康増進器具50によれば、トルク発生機構26の制動力に抗した回転運動と、皿バネ51の反発力に抗した押圧運動を同時に実施することが可能となり、日常生活では経験し得ないような筋肉の使い方が可能となる。
【００３４】
この第２の健康増進器具50の場合も、長尺ビス44を外すことによって第１の握り部材12と第２の握り部材14を簡単に分解でき、ビス39を外すことによってトルク発生機構26及び皿バネ51を固定板27ごと第１の握り部材12から取り外すことができる。
このため、自己の体力向上具合に応じて、また他の利用者の体力に応じて、制動力の異なるトルク発生機構26や反発力の異なる皿バネ51に取り替えることが可能となる。
上記のように、皿バネ51を利用する以外に、例えばコイルスプリングを回転軸25に挿通させても同様の効果を奏することが可能となる。
あるいは、板バネやゴム等の弾性部材やダンパー等の伸縮部材を第１の握り部材12と第２の握り部材14との間に介装させてもよい。
【００３５】
上記においては、トルク発生機構26としてトルクヒンジ型のものを例示したが、これに限定されるものではない。
例えば、図９に示すように、ロータリーダンパー型のトルク発生機構26を用いることもできる。
このトルク発生機構26は、ローター53が形成された回転軸25の先端部を嵌め込むための凹部を備えた軸受部54を備えており、蓋部材55によって密閉された空間にはシリコンオイル等の粘性物質が充填されている。
この結果、回転軸25は軸受部54によって回転自在に支持される一方、ローター53に対してシリコンオイルの粘性抵抗が働くため、その回転には適度な負荷が加えられることとなる。
【００３６】
上記した第１の健康増進器具10及び第２の健康増進器具50にあっては、第１の握り部材12と第２の握り部材14がほぼ等しい形状を備えており、両手によって操作することを前提にしていたが、この発明はこれに限定されるものではない。
図１０は、この発明に係る第３の健康増進器具60の外観を示す斜視図である。
これは、第１の握り部材62が楕円球形部63と円筒部64を連結させた形状を備えているのに対し、第２の握り部材65が４つの半球状突起66を備えた板状部67と円筒部68を連結させた形状を備えており、両部材の形状が大きく異なっている点に特徴がある。
第１の握り部材62の表面には、滑り防止用に比較的大きな窪み69が複数形成されている。
【００３７】
この第３の健康増進器具60の内部構造は、図示は省略したが、実質的に第２の健康増進器具50と同様であり、トルク発生機構26、回転軸25、皿バネ51、固定板27、芳香ユニット20等が組み込まれている。
この結果、第１の握り部材62と第２の握り部材65間の押圧運動の他、両部材間の往復回転運動が可能となされている。
【００３８】
この第３の健康増進器具60を利用する場合、第１の握り部材62を掌と小指及び薬指で保持すると共に、第２の握り部材65の半球状突起66間に形成された凹部70を親指、人差し指、中指で挟み込むように片手で持つ。
この状態で、三本の指で第２の握り部材65を左右に回転させたり、第２の握り部材65を第１の握り部材62に向けて伸縮させたりすることにより、指先に対して適度な負荷を伴う複雑な運動を行わせることが可能となる。
【図面の簡単な説明】
【００３９】
【図１】第１の健康増進器具の外観を示す平面図である。
【図２】第１の健康増進器具の内部構造を示す断面図である。
【図３】第１の健康増進器具の内部構造を示す分解断面図である。
【図４】トルク発生機構の内部構造を示す部分断面図である。
【図５】固定板の中央貫通孔と回転軸の形状を示す部分断面図である。
【図６】固定板の中央貫通孔と回転軸の形状を示す部分断面図である。
【図７】第２の健康増進器具の内部構造を示す断面図である。
【図８】第２の健康増進器具の内部構造を示す断面図である。
【図９】トルク発生機構の内部構造を示す部分断面図である。
【図１０】第３の健康増進器具の外観を示す斜視図である。
【符号の説明】
【００４０】
10 第１の健康増進器具
12 第１の握り部材
14 第２の握り部材
15 第１の握り部材の円筒部
16 第１の握り部材の広径部
17 第２の握り部材円筒部
18 第２の握り部材広径部
19 収納凹部
20 芳香ユニット
21 開口容器
22 スポンジ
23 開口部
24 通気孔
25 回転軸
26 トルク発生機構
27 固定板
28 中央貫通孔
29 ピン
30 軸受プレート
31 広径つば部
32 摩擦ワッシャー
33 摩擦ワッシャー
34 摩擦ワッシャー
35 スプリングワッシャー
36 押え用ワッシャー
37 先端係止部
38 貫通孔
39 ビス
40 ネジ穴
41 第１の握り部材の凹部
42 第２の握り部材の凹部
43 貫通孔
44 長尺ビス
45 ネジ穴
46 キー
47 キー溝
50 第２の健康増進器具
51 皿バネ
52 凹部
53 ローター
54 軸受部
55 蓋部材
60 第３の健康増進器具
62 第１の握り部材
63 楕円球形部
64 第１の握り部材の円筒部
65 第２の握り部材
66 半球状突起
67 板状部
68 第２の握り部材の円筒部
69 窪み
70 凹部
【図１】
2007068606.tif 000003
【図２】
2007068606.tif 000004
【図３】
2007068606.tif 000005
【図４】
2007068606.tif 000006
【図５】
2007068606.tif 000007
【図６】
2007068606.tif 000008
【図７】
2007068606.tif 000009
【図８】
2007068606.tif 000010
【図９】
2007068606.tif 000011
【図１０】
2007068606.tif 000012